(57)【要約】【課題】固定的な設置が好ましい水周り設備以外の水周り設備のみの移動を可能にすることで、トラブルの少ない最適な間取りを確保しながら、間取りの変更の自由度の向上を図ることができ、かつ施工コストの低減を図ることのできる住戸床構造を提供することを課題としている。【解決手段】通常の床を構成する基準スラブ２と、基準スラブ２に対して一段低い凹領域４を構成する低位スラブ３とを備え、凹領域４は、上下の各住戸Ａ１において水平方向の略同一の部位に配置された主凹部４ａと、主凹部４ａから外側に延びる少なくとも一つの分岐凹部４ｂとを有し、主凹部４ａは、水周り設備のうち上下の各住戸Ａ１において水平方向の位置を固定すべきものとされる特定水周り設備Ａ２のみのを設置することが可能な水平方向の広がりを有するものに構成している。【選択図】図２
2014133991.tif 000002
【特許請求の範囲】
【請求項１】
上下に配置された各住戸において水周り設備の位置を変更可能にするための住戸床構造であって、
通常の床を構成する基準スラブと、この基準スラブに対して一段低い凹領域を構成する低位スラブとを備えてなり、
上記凹領域は、上記上下の各住戸において水平方向の略同一の部位に配置された主凹部と、この主凹部から当該主凹部の外側に延びる少なくとも一つの分岐凹部とを有し、
上記主凹部は、上記水周り設備のうち、上記上下の各住戸において水平方向の位置を固定すべきものとされる特定水周り設備のみのを設置することが可能な水平方向の広がりを有していることを特徴とする住戸床構造。
【請求項２】
上記主凹部は、上記住戸における桁行き方向の一方の側に配置され、
上記分岐凹部は、その少なくとも一つが上記住戸における桁行き方向の中央を超えて他方の側に入るように延在していることを特徴とする請求項１に記載の住戸床構造。
【請求項３】
上記低位スラブ及び上記基準スラブであって低位スラブの桁行き方向に位置する特定基準スラブは、それぞれＰＣ鋼線を有するプレキャストコンクリートによって底面部が構成され、その各プレキャストコンクリートの上側に鉄筋を配置した上で打設されたコンクリートによって上面部が構成されていることを特徴とする請求項２に記載の住戸床構造。
【請求項４】
上記各プレキャストコンクリートは、平板部上に直線状に延在しかつ互いに並列に配置された複数の凸条部を有し、その各凸条部に対応する部分内に当該各凸条部の延在する方向に延在すべく設けられたＰＣ鋼線を有する構成になっており、
上記特定基準スラブ側及び低位スラブ側の各プレキャストコンクリートは、上記各凸条部の延在する方向を桁行き方向に向けて設置されていると共に、当該各凸条部の端部同士が互いに上下に重なる位置となるように設置されており、
上記特定基準スラブ側のプレキャストコンクリートは、上記各凸条部に隣接する上記平板部のうち、上記低位スラブ側のプレキャストコンクリートに重なる部分を取り除いた形状の切欠部を有しており、
上記鉄筋は、特定基準スラブ側及び低位スラブ側の各プレキャストコンクリートの上側において桁行き方向及び梁間方向に複数配置されており、
上記切欠部に対応する部位には、特定基準スラブ側及び低位スラブ側に位置する上記梁間方向の複数の鉄筋を囲むように形成した肋筋が設けられていることを特徴とする請求項３に記載の住戸床構造。
【請求項５】
上記特定基準スラブ側のプレキャストコンクリートにおける上記各凸条部に隣接する上記平板部の上側には、当該凸条部の上面に対して上側及び下側のそれぞれに桁行き方向に延在する上位第１鉄筋及び下位第１鉄筋が設けられており、
これらの上位第１鉄筋及び下位第１鉄筋は、上記切欠部に位置する上記凸条部の先端部に対応する部分において下方に屈曲し、上記肋筋における上記切欠部の間口部側において上下方向に延在する部分に沿って下方に延在するように形成され、
上記低位スラブ側のプレキャストコンクリートにおける上記各凸条部に隣接する上記平板部の上側には、当該凸条部の上面に対して上側及び下側のそれぞれに桁行き方向に延在する上位第２鉄筋及び下位第２鉄筋が設けられており、
これらの上位第２鉄筋及び下位第２鉄筋は、上記特定基準スラブ側のプレキャストコンクリートにおける上記切欠部の最奥部に対応する部分において上方に屈曲し、上記肋筋における上記切欠部の最奥部側において上下方向に延在する部分に沿って上方に延在するように形成されていることを特徴とする請求項４に記載の住戸床構造。
【発明の詳細な説明】
【技術分野】
【０００１】
本発明は、水周り設備の位置の変更を可能にする住戸床構造に関する。
【背景技術】
【０００２】
近年の住宅においては、例えば鉄筋コンクリート造の集合住宅の躯体が完成した後においても、各住戸について間取りの変更を可能にするものが提供されている。このような住戸の間取りは、配管設備を必要とする浴室、トイレ、洗面所、キッチン等の水周り設備についても位置の変更を可能にすることにより、全体としてより自由度の大きな変更が可能になる。
【０００３】
水周り設備の位置変更を可能にするものとしては、通常の床面を構成するスラブと、これより一段低い位置に構成した低位スラブとを有し、この低位スラブの上面に沿うように配管を設置することにより、その低位スラブの範囲内で水周り設備の移動を可能にした住戸床構造の発明がある（例えば引用文献１）。
【０００４】
この住戸床構造は、低位スラブが各住戸における桁行き方向の全幅及び梁間方向の一定の範囲に構成されたものとなっており、浴室等の水周り設備を桁行き方向にも、梁間方向にも変更することが可能になっている。これにより、各住戸における間取り変更の自由度が極めて大きなものとなっている。
【先行技術文献】
【特許文献】
【０００５】
【特許文献１】特開２００５−１８００１２号公報
【発明の概要】
【発明が解決しようとする課題】
【０００６】
しかしながら、上記従来の住戸床構造においては、低位スラブが桁行き方向の全幅等にわたる広い範囲に設けられていることから、例えば水周り設備を桁行き方向の一方の側に設置した場合にはその桁行き方向の他方の側に低位スラブによる凹部が広い範囲に露出した状態になる。このため、例えば直床工法を採用する住戸の場合には、その凹部に、通常のスラブの上面と面一状になるような床部を構成するなどの施工が必要になる。このため、施工コストが増大するという問題があった。
【０００７】
一方、浴室等については、騒音、振動などのトラブルが上下の住戸間において発生しやすいことから、そのようなトラブルを防止する上で、上下の各住戸において、水平方向における位置を合わせることが好ましい。即ち、水周り設備の中には、設置位置を自由に変更することなく、最適な位置に固定的に設置することが好ましいものもある。
【０００８】
本発明は、上記事情に鑑みてなされたものであり、固定的に設置することが好ましい水周り設備以外の水周り設備のみの移動を可能にすることで、トラブルの少ない最適な間取りを確保しながら、全体の間取りの変更の自由度の向上を図ることができ、かつ施工コストの低減を図ることのできる住戸床構造を提供することを課題としている。
【課題を解決するための手段】
【０００９】
上記課題を解決するために、請求項１に記載の発明は、上下に配置された各住戸において水周り設備の位置を変更可能にするための住戸床構造であって、通常の床を構成する基準スラブと、この基準スラブに対して一段低い凹領域を構成する低位スラブとを備えてなり、上記凹領域は、上記上下の各住戸において水平方向の略同一の部位に配置された主凹部と、この主凹部から当該主凹部の外側に延びる少なくとも一つの分岐凹部とを有し、上記主凹部は、上記水周り設備のうち、上記上下の各住戸において水平方向の位置を固定すべきものとされる特定水周り設備のみのを設置することが可能な水平方向の広がりを有していることを特徴としている。
【００１０】
請求項２に記載の発明は、請求項１に記載の発明において、上記主凹部は、上記住戸における桁行き方向の一方の側に配置され、上記分岐凹部は、その少なくとも一つが上記住戸における桁行き方向の中央を超えて他方の側に入るように延在していることを特徴としている。
【００１１】
請求項３に記載の発明は、請求項２に記載の発明において、上記低位スラブ及び上記基準スラブであって低位スラブの桁行き方向に位置する特定基準スラブは、それぞれＰＣ鋼線を有するプレキャストコンクリートによって底面部が構成され、その各プレキャストコンクリートの上側に鉄筋を配置した上で打設されたコンクリートによって上面部が構成されていることを特徴としている。
【００１２】
なお、特定基準スラブは、基準スラブのうち、低位スラブの桁行き方向に位置するものである。即ち、特定基準スラブは、基準スラブと同じ高さの上面を有する。また、ＰＣ鋼線を有するプレキャストコンクリートは、ＰＣ鋼線によってプレストレストを導入した工場製作の鉄筋コンクリートである。
【００１３】
請求項４に記載の発明は、請求項３に記載の発明において、上記各プレキャストコンクリートは、平板部上に直線状に延在しかつ互いに並列に配置された複数の凸条部を有し、その各凸条部に対応する部分内に当該各凸条部の延在する方向に延在すべく設けられたＰＣ鋼線を有する構成になっており、上記特定基準スラブ側及び低位スラブ側の各プレキャストコンクリートは、上記各凸条部の延在する方向を桁行き方向に向けて設置されていると共に、当該各凸条部の端部同士が互いに上下に重なる位置となるように設置されており、上記特定基準スラブ側のプレキャストコンクリートは、上記各凸条部に隣接する上記平板部のうち、上記低位スラブ側のプレキャストコンクリートに重なる部分を取り除いた形状の切欠部を有しており、上記鉄筋は、特定基準スラブ側及び低位スラブ側の各プレキャストコンクリートの上側において桁行き方向及び梁間方向に複数配置されており、上記切欠部に対応する部位には、特定基準スラブ側及び低位スラブ側に位置する上記梁間方向の複数の鉄筋を囲むように形成した肋筋が設けられていることを特徴としている。
【００１４】
請求項５に記載の発明は、請求項４に記載の発明において、上記特定基準スラブ側のプレキャストコンクリートにおける上記各凸条部に隣接する上記平板部の上側には、当該凸条部の上面に対して上側及び下側のそれぞれに桁行き方向に延在する上位第１鉄筋及び下位第１鉄筋が設けられており、これらの上位第１鉄筋及び下位第１鉄筋は、上記切欠部に位置する上記凸条部の先端部に対応する部分において下方に屈曲し、上記肋筋における上記切欠部の間口部側において上下方向に延在する部分に沿って下方に延在するように形成され、上記低位スラブ側のプレキャストコンクリートにおける上記各凸条部に隣接する上記平板部の上側には、当該凸条部の上面に対して上側及び下側のそれぞれに桁行き方向に延在する上位第２鉄筋及び下位第２鉄筋が設けられており、これらの上位第２鉄筋及び下位第２鉄筋は、上記特定基準スラブ側のプレキャストコンクリートにおける上記切欠部の最奥部に対応する部分において上方に屈曲し、上記肋筋における上記切欠部の最奥部側において上下方向に延在する部分に沿って上方に延在するように形成されていることを特徴としている。
【発明の効果】
【００１５】
請求項１に記載の発明によれば、低位スラブによって凹領域を構成し、凹領域を更に主凹部と分岐凹部によって構成し、主凹部は上下の各住戸における水平方向の略同一の部位に配置し、かつ水平方向の位置を固定すべき特定水周り設備のみを設置することが可能な水平方向の広がりを有するように構成しているので、その特定水周り設備が上下の各住戸において水平方向の異なった位置に配置されるのを防止することができる。即ち、騒音や振動等のトラブルの発生を極力防止することのできる最適な間取りを確保することができる。
【００１６】
また、特定水周り設備以外の水周り設備については、主凹部に隣接する各位置に配置することにより、当該主凹部を利用して配管を設置することが可能になると共に、分岐凹部の延在する範囲に設置することにより、当該分岐凹部及び主凹部を利用して配管を設置することが可能になる。即ち、特定水周り設備以外の水周り設備については、種々の位置に変更することができ、これによって各住戸内における全体の間取りの変更の自由度の向上を図ることができる。
【００１７】
更に、分岐凹部については、配管の設置を可能にする最小限の幅及び深さに制限することができるので、仮に直床工法を採用した場合でも、床面を平面状に構成するための工数の低減を図ることができる。即ち、施工コストを低減することができる。
【００１８】
請求項２に記載の発明によれば、主凹部が住戸における桁行き方向の一方の側に配置され、少なくとも一つが分岐凹部が住戸における桁行き方向の中央を超えて他方の側に入るように延在しているので、特定水周り設備を住戸における桁行き方向の一方の側に配置した場合には、特定水周り設備以外の水周り設備については、当該桁行き方向の他方の側に設置することができると共に、桁行き方向の一方の側における主凹部に隣接する位置にも設置することができる。例えば、浴室、トイレ及び洗濯機の設置機能を有する洗面所等の特定水周り設備を桁行き方向の一方の側の主凹部に固定的に設置した場合に、キッチン等の特定水周り設備以外の水周り設備を例えば廊下を挟んで桁行き方向の他方の側にも、桁行き方向の一方の側の主凹部に隣接する位置にも移動することができる。
【００１９】
請求項３に記載の発明によれば、低位スラブ及び基準スラブであって低位スラブの桁行き方向に隣接する特定基準スラブについて、それらの底面部をＰＣ鋼線を有するプレキャストコンクリートによって構成し、その上面部を各プレキャストコンクリートの上側に鉄筋を配置した上で打設したコンクリートによって構成しているので、凹領域を有するスラブの強度の向上を図ることができる。
【００２０】
従って、低位スラブと特定基準スラブの境界部に例えば小梁を設けて補強する必要がないので、その小梁等の補強部が天井面に露出するのを防止することができる。即ち、小梁等の補強部により、天井面の見栄えが悪くなったり、天井面の高さを十分に確保することができなくなるなどの問題が発生するのを防止することができる。また、各プレキャストコンクリートによって底面部を構成することにより、床仮わくが不要になるので、施工コストの低減を図ることができる。
【００２１】
請求項４に記載の発明によれば、各凸条部の端部同士が互いに上下に重なる位置となるように各プレキャストコンクリートを設置し、その重なる部位における特定基準スラブの各平板部に切欠部を設け、この切欠部に対応する部位に、特定基準スラブ側及び低位スラブ側に位置する梁間方向の複数の鉄筋を囲むように形成した肋筋を設けているので、低位スラブと特定基準スラブとの境界部に、梁間方向に延在する複数の鉄筋及びこれを取り巻く複数の肋筋を備えた鉄筋コンクリート製の強固な梁を構成することができる。従って、低位スラブと特定基準スラブとの境界部の強度の向上を図ることができる。
【００２２】
請求項５に記載の発明によれば、特定基準スラブ側のプレキャストコンクリートの各平板部の上側に桁行き方向に延在する上位第１鉄筋及び下位第１鉄筋を設け、この上位第１鉄筋及び下位第１鉄筋を凸条部の先端部に対応する部分で下方に屈曲させて、肋筋における切欠部の間口部側の部分に沿って下方に延在させ、また低位スラブ側のプレキャストコンクリートの各平板部の上側に桁行き方向に延在する上位第２鉄筋及び下位第２鉄筋を設け、この上位第２鉄筋及び下位第２鉄筋を切欠部の最奥部に対応する部分で上方に屈曲させて、肋筋における切欠部の最奥部側の部分に沿って上方に延在させるように構成しているので、梁間方向の複数の鉄筋及びこれを取り巻く複数の肋筋を備えた鉄筋コンクリート製の強固な梁に対する低位スラブ及び特定基準スラブの連結強度を向上させることができる。従って、低位スラブと特定基準スラブとの境界部の強度を更に向上させることができる。
【図面の簡単な説明】
【００２３】
【図１】本発明の一実施例として示した住戸床構造を各住戸について示す集合住宅の所定の階の水平断面図である。
【図２】同住戸床構造を示す図であって、（ａ）は水周り設備を桁行き方向の一方の側及び他方の側の双方に配置した状態の間取りを示す住戸の水平断面図であり、（ｂ）は水周り設備を桁行き方向の一方の側にのみ配置した間取りを示す住戸の水平断面図であり、（ｃ）は基準スラブ、低位スラブ及び特定基準スラブを示す住戸の水平断面図である。
【図３】同住戸床構造を示す図であって、特定基準スラブ側のプレキャストコンクリートと低位スラブ側のプレキャストコンクリートとが上下に重なる部分を示す説明図である。
【図４】同住戸床構造における特定基準スラブと低位スラブとの連結部を示す図であって、（ａ）は全ての鉄筋を配置した状態の縦断面図であり、（ｂ）は（ａ）のＢ−Ｂ線に沿う断面図である。
【図５】同住戸床構造における特定基準スラブと低位スラブとの連結部を示す図であって、（ａ）は各プレキャストコンクリートの上側に鉄筋を配置した状態を示す縦断面図であり、（ｂ）は（ａ）のＢ−Ｂ線に沿う断面図である。
【図６】同住戸床構造における特定基準スラブと低位スラブとの連結部を示す図であって、（ａ）は各プレキャストコンクリートの上側に鉄筋を配置し、かつ各プレキャストコンクリートの平板部の上側に上位第１鉄筋及び上位第２鉄筋を配置した状態を示す縦断面図であり、（ｂ）は（ａ）のＢ−Ｂ線に沿う断面図である。
【図７】同住戸床構造における特定基準スラブと低位スラブとの連結部を示す図であって、（ａ）は各プレキャストコンクリートの上側に鉄筋を配置し、かつ各プレキャストコンクリートの平板部の上側に下位第１鉄筋及び下位第２鉄筋を配置した状態を示す縦断面図であり、（ｂ）は（ａ）のＢ−Ｂ線に沿う断面図である。
【図８】同住戸床構造における特定基準スラブと低位スラブとの連結部を示す図であって、（ａ）は各プレキャストコンクリートの上側に鉄筋を配置し、かつ特定基準スラブ側のプレキャストコンクリートの切欠部に対応する部位に肋筋を配置した状態を示す縦断面図であり、（ｂ）は（ａ）のＢ−Ｂ線に沿う断面図である。
【発明を実施するための形態】
【００２４】
本発明を実施するための形態を一実施例に基づいて詳細に説明する。
【００２５】
この実施例で示す住戸床構造１は、図１に示すように、鉄筋コンクリート造の集合住宅Ａの各住戸Ａ１の床部を構成するものである。この集合住宅Ａは、少なくとも上下方向に複数の各住戸Ａ１を備え、かつ水平方向に複数（この例では６戸）の住戸Ａ１を隣接して備えたものとなっている。
【００２６】
住戸床構造１は、鉄筋コンクリート造による集合住宅Ａの躯体が完成した後において、水周り設備についても位置の変更を可能にすることで、各住戸Ａ１における間取り変更の自由度の向上を図ったものであり、通常の床を構成する基準スラブ２と、この基準スラブ２に対して一段低い凹領域４を構成する低位スラブ３とを備えている。
【００２７】
凹領域４は、図１及び図２（ｃ）において間隔の大きなクロスハッチングで示されている部分であり、上下の各住戸Ａ１において水平方向の略同一の部位に配置された主凹部４ａと、この主凹部４ａから当該主凹部４ａの外側に延びる一つの分岐凹部４ｂとを備えている。なお、分岐凹部４ｂは複数有するものであってもよい。
【００２８】
主凹部４ａは、図２に示すように、水周り設備のうち、上下の各住戸Ａ１において水平方向の位置を固定すべきものとされる特定水周り設備Ａ２のみのを設置することが可能な水平方向の広がりを有しており、住戸Ａ１における桁行き方向の一方の側の壁に沿って配置されている。この主凹部４ａは、凹領域４における網点で示す分岐凹部４ｂ以外の部分によって四角形状の広がりを有するように形成されている。
【００２９】
一方、分岐凹部４ｂは、凹領域４における網点部によって示された部分であり、主凹部４ａから住戸Ａ１における桁行き方向の中央を超えて他方の側に入るように延在すると共に、特定水周り設備Ａ２以外の水周り設備Ａ３のための配管の設置を可能にする幅及び深さに設定されている。
【００３０】
特定水周り設備Ａ２は、騒音、振動の発生しやすい設備であって、上下の各住戸Ａ１においてトラブルの生じやすいものであり、例えば図２に示す浴室Ａ２ａ、トイレＡ２ｂ、洗濯機の設置機能を有する洗面所Ａ２ｃ等が該当する。特定水周り設備Ａ２以外の水周り設備Ａ３は、騒音、振動が発生しにくい設備であって、上下の各住戸Ａ１においてトラブルの生じにくいものであり、例えば図２においてシングルハッチングで示すキッチンＡ３ａが該当する。
【００３１】
上記基準スラブ２は、この基準スラブ２のうち低位スラブ３の桁行き方向に位置する部分が特定基準スラブ５となっている。この特定基準スラブ５は、図２（ｃ）において、低位スラブ３によって構成された凹領域４を示すクロスハッチングより狭い間隔のクロスハッチングで示された部分に該当しており、その上面が基準スラブ２と面一状になっている。
【００３２】
低位スラブ３及び特定基準スラブ５は、図４〜図８に示すように、それぞれＰＣ鋼線Ｃ３を有するプレキャストコンクリート３１、５１によって底面部３ａ、５ａが構成されている。低位スラブ３及び特定基準スラブ５の上面部６０は、その各プレキャストコンクリート３１、５１の上側に鉄筋６１、６２等を配置した上で打設されたコンクリート６８によってが構成されている。
【００３３】
各プレキャストコンクリート３１、５１は、図３及び図４に示すように、平板部Ｃ１上に直線状に延在しかつ互いに並列に配置された複数の凸条部Ｃ２を有し、その各凸条部Ｃ２に対応する部分内に当該各凸条部Ｃ２の延在する方向に延在すべく設けられたＰＣ鋼線Ｃ３を有する構成になっている。
【００３４】
そして、各プレキャストコンクリート３１、５１は、各凸条部Ｃ２の延在する方向を桁行き方向に向けて設置されていると共に、当該各凸条部Ｃ２の端部同士が互いに上下に重なる位置に配置された状態となって設置されている。
【００３５】
特定基準スラブ５側のプレキャストコンクリート５１は、図３に示すように、各凸条部Ｃ２に隣接する平板部Ｃ１のうち、低位スラブ３側のプレキャストコンクリート３１に重なる部分が取り除かれた形状の切欠部Ｃ１ａを有している。
【００３６】
上述した鉄筋６１、６２は、図４及び図５に示すように、特定基準スラブ５側及び低位スラブ３側の各プレキャストコンクリート３１、５１の上側において桁行き方向に延在する鉄筋６１及び梁間方向に延在する鉄筋６２として複数配置されている。特に、梁間方向の鉄筋６２は、図５（ａ）に示すように、切欠部Ｃ１ａに対応する部位に複数（この例では３本）配置されている。
【００３７】
更に、切欠部Ｃ１ａに対応する部位には、図４及び図８に示すように、特定基準スラブ５及び低位スラブ３における梁間方向の鉄筋６２を複数囲むように四角形のループ状に形成された肋筋６３が設けられている。
【００３８】
また、特定基準スラブ５側のプレキャストコンクリート５１における各凸条部Ｃ２に隣接する平板部Ｃ１の上側には、図６及び図７に示すように、凸条部Ｃ２の上面に対して上側及び下側のそれぞれに桁行き方向に延在する上位第１鉄筋６４（図６参照）及び下位第１鉄筋６５（図７参照）が設けられている。
【００３９】
上位第１鉄筋６４及び下位第１鉄筋６５は、切欠部Ｃ１ａに位置する凸条部Ｃ２の先端部に対応する部分において下方に屈曲し、肋筋６３（図４及び図８参照）における切欠部Ｃ１ａの間口部側において上下方向に延在する間口上下部６３ａに沿って下方に延在するように形成されている。
【００４０】
一方、低位スラブ３側のプレキャストコンクリート３１における各凸条部Ｃ２に隣接する平板部Ｃ１の上側には、図６及び図７に示すように、凸条部Ｃ２の上面に対して上側及び下側のそれぞれに桁行き方向に延在する上位第２鉄筋６６（図６参照）及び下位第２鉄筋６７が設けられている。
【００４１】
上位第２鉄筋６６及び下位第２鉄筋６７は、プレキャストコンクリート５１の切欠部Ｃ１ａの最奥部に対応する部分において上方に屈曲し、肋筋６３（図４及び図８参照）における切欠部Ｃ１ａの最奥部側において上下方向に延在する最奥上下部６３ｂに沿って上方に延在するように形成されている。
【００４２】
なお、図４〜図８において、７はプレキャストコンクリート３１上に打設されたコンクリート６８を保持するための型枠である。
【００４３】
上記のように構成された住戸床構造１においては、低位スラブ３によって凹領域４を構成し、その凹領域４を主凹部４ａと分岐凹部４ｂによって構成してなり、その主凹部４ａは上下の各住戸Ａ１における水平方向の略同一の部位に配置し、かつ水平方向の位置を固定すべき特定水周り設備Ａ２のみを設置することが可能な水平方向の広がりを有するように構成されているので、その特定水周り設備Ａ２が上下の各住戸Ａ１において水平方向の異なった位置に配置されるのを防止することができる。従って、上下の各住戸において、騒音や振動等のトラブルの発生を極力防止できる最適な間取りを確保することができる。
【００４４】
また、特定水周り設備Ａ２以外の水周り設備Ａ３については、主凹部４ａに隣接する各位置に配置することにより、当該主凹部４ａを利用した配管の設置が可能であると共に、分岐凹部４ｂの延在する範囲に配置することにより、当該分岐凹部４ｂ及び主凹部４ａを利用した配管の設置が可能になる。即ち、特定水周り設備Ａ２以外の水周り設備Ａ３については、種々の位置に変更することができる。よって、各住戸Ａ１内における間取りの変更の自由度の向上を図ることができる。
【００４５】
更に、分岐凹部４ｂについては、配管の設置を可能にする最小限の幅等に制限することができるので、仮に直床工法を採用した場合でも、床面を平面状に構成するための工数の削減を図ることができる。即ち、施工コストの低減を図ることができる。
【００４６】
また、主凹部４ａが住戸Ａ１における桁行き方向の一方の側に配置され、分岐凹部４ｂが住戸Ａ１における桁行き方向の中央を超えて他方の側に入るように延在しているので、特定水周り設備Ａ２は住戸Ａ１における桁行き方向の一方の側に配置することになるが、特定水周り設備Ａ２以外の水周り設備Ａ３については、当該桁行き方向の他方の側に設置することができると共に、桁行き方向の一方の側における主凹部４ａに隣接する位置にも設置することができる。
【００４７】
即ち、図２（ａ）及び（ｂ）に示すように、浴室Ａ２ａ、トイレＡ２ｂ、洗濯機の設置機能を有する洗面所Ａ２ｃ等の特定水周り設備Ａ２を桁行き方向の一方の側の主凹部４ａに固定的に設置することになるが、キッチンＡ３ａ等の特定水周り設備Ａ２以外の水周り設備Ａ３を例えば廊下を挟んで桁行き方向の他方の側にも、桁行き方向の一方の側における主凹部４ａに隣接する位置にも移動することができる。
【００４８】
また、低位スラブ３及びこれに隣接する特定基準スラブ５について、それらの底面部３ａ、５ａのそれぞれをＰＣ鋼線Ｃ３を有するプレキャストコンクリート３１、５１によって構成し、その上面部６０を各プレキャストコンクリート３１、５１の上側に鉄筋６１〜６７を配置した上で打設されたコンクリート６８によって構成しているので、凹領域４を有するスラブの強度の向上を図ることができる。
【００４９】
従って、低位スラブ３と特定基準スラブ５の境界部に例えば小梁を設けて補強する必要がないので、その小梁等の補強部が天井面に露出することがない。即ち、小梁等の補強部により、天井面の見栄えが悪くなったり、天井面の高さを十分に確保することができなくなるなどの問題が発生するのを防止することができる。また、各プレキャストコンクリート３１、５１によって、床仮わくが不要になるので、施工コストの低減を図ることができる。
【００５０】
更に、各凸条部Ｃ２の端部同士が互いに上下に重なる位置となるように各プレキャストコンクリート３１、５１を設置し、その重なる部位における特定基準スラブ５の各平板部Ｃ１に切欠部Ｃ１ａを設け、この切欠部Ｃ１ａに対応する部位に、特定基準スラブ５側及び低位スラブ３側に位置する梁間方向の複数の鉄筋６２を囲むように形成した肋筋６３を設けているので、低位スラブ３と特定基準スラブ５との境界部に、梁間方向に延在する複数の鉄筋及びこれを取り巻く複数の肋筋６３を備えた鉄筋コンクリート製の強固な梁を構成することができる。従って、低位スラブ３と特定基準スラブ５との境界部の強度の向上を図ることができる。
【００５１】
しかも、特定基準スラブ５側のプレキャストコンクリート５１の各平板部Ｃ１の上側に桁行き方向に延在する上位第１鉄筋６４及び下位第１鉄筋６５を設け、この上位第１鉄筋６４及び下位第１鉄筋６５を凸条部Ｃ２の先端部に対応する部分で下方に屈曲させて、肋筋６３における間口上下部６３ａに沿って下方に延在させ、また低位スラブ３側のプレキャストコンクリート３１の各平板部Ｃ１の上側に桁行き方向に延在する上位第２鉄筋６６及び下位第２鉄筋６７を設け、この上位第２鉄筋６６及び下位第２鉄筋６７を切欠部Ｃ１ａの最奥部で上方に屈曲させて、肋筋６３における最奥上下部６３ｂに沿って上方に延在させるように構成しているので、梁間方向の複数の鉄筋６２及びこれを取り巻く複数の肋筋６３を備えた鉄筋コンクリート製の強固な梁に低位スラブ３及び特定基準スラブ５を強固に連結することができる。従って、低位スラブ３と特定基準スラブ５とを一体的に形成された極めて強度の高いものにすることができる。
【００５２】
なお、基準スラブ２についても、下面部をＰＣ鋼線を有するプレキャストコンクリートで構成し、その上側に鉄筋を配置した上でコンクリートを打設することにより上面部を構成するようにしてもよい。
【符号の説明】
【００５３】
１  住戸床構造
２  基準スラブ
３  低位スラブ
３ａ  底面部
４  凹領域
４ａ  主凹部
４ｂ  分岐凹部
５  特定基準スラブ
５ａ  底面部
３１、５１  プレキャストコンクリート
６０  上面部
６１  桁行き方向の鉄筋（鉄筋）
６２  梁間方向の鉄筋（鉄筋）
６３  肋筋
６３ａ  間口上下部
６３ｂ  最奥上下部
６４  上位第１鉄筋
６５  下位第１鉄筋
６６  上位第２鉄筋
６７  下位第２鉄筋
６８  コンクリート
Ａ１  住戸
Ａ２  特定水周り設備
Ａ３  特定水周り設備以外の水周り設備
Ｃ１  平板部
Ｃ1ａ  切欠部
Ｃ２  凸条部
Ｃ３  ＰＣ鋼線
【図１】
2014133991.tif 000003
【図２】
2014133991.tif 000004
【図３】
2014133991.tif 000005
【図４】
2014133991.tif 000006
【図５】
2014133991.tif 000007
【図６】
2014133991.tif 000008
【図７】
2014133991.tif 000009
【図８】
2014133991.tif 000010